(57)【要約】【課題】回転平膜ディスクのろ過膜が損傷することを防止できる回転平膜モジュールを提供することを目的とする。【解決手段】回転平膜モジュール１０は、平行に配置された回転軸２２Ａ〜２２Ｃと、この回転軸２２Ａ〜２２Ｃに取り付けられた複数の回転平膜ディスク１２、１２…とから成り、回転平膜ディスク１２の支持板３２は、その外縁部分３２Ａが、支持板３２の側面に取り付けたろ過膜３６の膜面よりも突出して形成される。【選択図】  図４
2006192335.tif 000002
【特許請求の範囲】
【請求項１】
平行に配置された複数の回転軸と、該複数の回転軸にそれぞれ取り付けられるとともに、円形の支持板の両面をろ過膜で覆うことによって構成された複数の回転平膜ディスクと、を備え、異なる回転軸に装着された前記回転平膜ディスク同士が前記回転軸の方向にみて部分的に重なるように配置された回転平膜モジュールにおいて、
前記支持板の外縁部分が、前記ろ過膜の膜面よりも突出して形成されることを特徴とする回転平膜モジュール。
【請求項２】
平行に配置された複数の回転軸と、該複数の回転軸にそれぞれ取り付けられるとともに、円形の支持板をろ過膜で覆うことによって構成された複数の回転平膜ディスクと、を備え、異なる回転軸に装着された前記回転平膜ディスク同士が前記回転軸の方向にみて部分的に重なるように配置された回転平膜モジュールにおいて、
前記回転平膜ディスクの外周部に装着され、前記回転平膜ディスクよりも厚みの大きい保護リングを備えたことを特徴とする回転平膜モジュール。
【請求項３】
前記保護リングは、前記回転平膜ディスクの外周部が嵌入される溝が長手方向に形成された長尺状部材によって構成されることを特徴とする請求項２に記載の回転平膜モジュール。
【請求項４】
前記長尺状部材の前記溝が形成された面には、長手方向に所定の間隔で切欠きが形成されることを特徴とする請求項３に記載の回転平膜モジュール。
【請求項５】
前記保護リングの外周面には、該保護リングの内周面に連通する貫通孔が形成されることを特徴とする請求項２〜４のいずれか１に記載の回転平膜モジュール。
【請求項６】
前記保護リングの外周面には、前記貫通孔に被ろ過液を掻き寄せる掻寄部が突設されることを特徴とする請求項５に記載の回転平膜モジュール。
【発明の詳細な説明】
【技術分野】
【０００１】
本発明は回転平膜モジュールに係り、特に上水処理設備で用いられる回転平膜モジュールに関する。
【背景技術】
【０００２】
近年、多くの膜分離装置が濾過処理の固液分離装置として実用化されている。膜分離装置には、中空糸型、スパイラル型、平膜型、回転平膜型等、様々なモジュール形状がある。このうち回転平膜モジュールは、円形の支持板（ディスク）をろ過膜で被覆した回転平膜ディスクと、この回転平膜ディスクが所定の間隔で取り付けられた回転軸とから成り、回転平膜ディスクを回転させながら、回転平膜ディスクの内部に吸引力を発生させることによってろ過処理を行う（例えば特許文献１及び２参照）。この回転平膜モジュールによれば、回転平膜ディスクの回転によって、ろ過膜の表面に膜面流速が付与され、ろ過膜に汚れ層が付着するのを防止できる。
【０００３】
このような回転平膜モジュールは、回転平膜ディスクの回転数が高くなると、原水（被ろ過液）が回転平膜ディスクと一緒に共回りし、十分な膜面流速が得られないという問題がある。そこで、複数の回転軸を平行に配置するとともに、各回転軸に取り付けた回転平膜ディスクが、回転軸方向に見て重なるように配置した回転平膜モジュールが提案されている。この回転平膜モジュールによれば、回転平膜ディスク同士の間に乱流が発生するので、原水の共回りを防止することができる。
【特許文献１】特開平１０−１４６５２１号公報
【特許文献２】実公平３−４１７８５号公報
【発明の開示】
【発明が解決しようとする課題】
【０００４】
しかしながら、従来の回転平膜モジュールは、回転平膜ディスクの支持板が変形して、隣接する回転平膜ディスク同士が接触した際に、ろ過膜が損傷し、原水がろ過されずに処理水に混入するおそれがあった。例えば特許文献１の回転平膜ディスクを用いた場合には、ろ過膜同士が接触して損傷したり、或いはろ過膜の外縁部分に塗布した接着剤が剥がれ、漏洩が生じるという問題を生じるおそれがあった。また、特許文献２の回転平膜ディスクを用いた場合には、ろ過膜の膜面に取り付けた攪拌用部材が接触し、ろ過膜が損傷して漏洩が発生するという問題があった。このため、従来装置では、回転平膜ディスク同士の接触を防止するために回転平膜ディスク同士の間隔を必要以上に広くしなければならず、乱流の効果が十分に得られなかったり、回転平膜モジュール全体が大型化するという問題があった。
【０００５】
本発明はこのような事情に鑑みて成されたもので、回転平膜ディスクのろ過膜が損傷することを防止できる回転平膜モジュールを提供することを目的とする。
【課題を解決するための手段】
【０００６】
請求項１に記載の発明は前記目的を達成するために、平行に配置された複数の回転軸と、該複数の回転軸にそれぞれ取り付けられるとともに、円形の支持板の両面をろ過膜で覆うことによって構成された複数の回転平膜ディスクと、を備え、異なる回転軸に装着された前記回転平膜ディスク同士が前記回転軸の方向にみて部分的に重なるように配置された回転平膜モジュールにおいて、前記支持板の外縁部分が、前記ろ過膜の膜面よりも突出して形成されることを特徴とする。
【０００７】
請求項１に記載の発明によれば、ろ過膜の膜面よりも支持板の外縁部分が突出しているので、回転平膜ディスク同士の間隔が狭まった際に支持板の外縁部分同士が接触し、ろ過膜同士の接触を防止できる。よって、ろ過膜が損傷して破けることを防止することができる。
【０００８】
請求項２に記載の発明は前記目的を達成するために、平行に配置された複数の回転軸と、該複数の回転軸にそれぞれ取り付けられるとともに、円形の支持板をろ過膜で覆うことによって構成された複数の回転平膜ディスクと、を備え、異なる回転軸に装着された回転平膜ディスク同士が前記回転軸の方向にみて部分的に重なるように配置された回転平膜モジュールにおいて、前記回転平膜ディスクの外周部に装着され、該回転平膜ディスクよりも厚みの大きい保護リングを備えたことを特徴とする。
【０００９】
請求項２に記載の発明によれば、回転平膜ディスクよりも厚い保護リングを回転平膜ディスクの外周部に装着するようにしたので、回転平膜ディスクのろ過膜同士が接触することを保護リングによって防止することができる。よって、ろ過膜が損傷して破けることを防止することができる。
【００１０】
請求項３に記載の発明は請求項２の発明において、前記保護リングは、前記回転平膜ディスクの外周部が嵌入される溝が長手方向に形成された長尺状部材によって構成されることを特徴とする。したがって、請求項３の発明によれば、長尺状部材の溝に回転平膜ディスクの外周部を嵌入しながら、長尺状部材を回転平膜ディスクの外周部に巻き付けることによって装着することができる。このような保護リングは、回転平膜ディスクに後付けすることができるので、既存の回転平膜ディスクにも取り付けることができる。
【００１１】
請求項４に記載の発明は請求項３の発明において、前記長尺状部材の前記溝が形成された面には、長手方向に所定の間隔で切欠きが形成されることを特徴とする。したがって、請求項４の発明によれば、長尺状部材が溝の面側に曲げ易く構成されるので、長尺状部材を回転平膜ディスクの外周部に容易に装着することができる。
【００１２】
請求項５に記載の発明は請求項２〜４のいずれか１の発明において、前記保護リングの外周面には、該保護リングの内周面に連通する貫通孔が形成されることを特徴とする。したがって、請求項５の発明によれば、保護リングの外側の被ろ過液を保護リングの内側に取り入れることができる。よって、保護リングの内側のろ過膜を透過する処理液の流量を増加させることができ、ろ過効率を向上させることができる。
【００１３】
請求項６に記載の発明は請求項５の発明において、前記保護リングの外周面には、前記貫通孔に被ろ過液を掻き寄せる掻寄部が突設されることを特徴とする。したがって、請求項６の発明によれば、保護リングの内側に多量の被ろ過液を掻き入れることができ、ろ過効率をさらに向上させることができる。
【発明の効果】
【００１４】
本発明に係る回転平膜装置によれば、回転平膜ディスクよりも厚い保護リングを回転平膜ディスクの外周部に装着するので、回転平膜ディスクのろ過膜同士が接触することを保護リングによって防止することができる。よって、ろ過膜が損傷して破けることを防止することができる。
【発明を実施するための最良の形態】
【００１５】
以下、添付図面に従って本発明に係る回転平膜モジュールの好ましい実施形態について説明する。図１は、本発明に係る回転平膜モジュール１０の第１の実施形態を示す斜視図であり、図２はその内部構成の一部を示す斜視図である。また、図３は、回転平膜モジュール１０の内部構成の一部を示す平面断面図であり、図４は回転平膜ディスクの構成を示す斜視図である。
【００１６】
図１に示すように回転平膜モジュール１０は処理槽１４を有し、この処理槽１４には流入管１６から原水（被処理液）が流入される。処理槽１４の内部には、多数の回転平膜ディスク１２、１２、…が設けられている。回転平膜ディスク１２は、図２に示す如く、平行に配設された三本の回転軸２２Ａ、２２Ｂ、２２Ｃに所定の間隔で取り付けられる。回転軸２２Ａ〜２２Ｃはそれぞれ、図１の処理槽１４の外部に設けたカップリング１８Ａ、１８Ｂ、１８Ｃを介してモータ２０Ａ、２０Ｂ、２０Ｃに連結される。したがって、各モータ２０Ａ〜２０Ｃを駆動することによって、回転軸２２Ａ〜２２Ｃを回転させることができる。なお、各モータ２０Ａ〜２０Ｃは、回転軸２２Ａ〜２２Ｃを同方向に回転駆動するように構成される。また、各モータ２０Ａ〜２０Ｃとカップリング１８Ａ〜１８Ｃの間には減速機２１Ａ〜２１Ｃが設けられており、回転軸２２Ａ〜２２Ｃの回転速度を正確にコントロールできるようになっている。
【００１７】
回転軸２２Ａ〜２２Ｃは中空状に形成されており、その内部は各回転平膜ディスク１２、１２…の内部に連通される。さらに回転軸２２Ａ〜２２Ｃの内部は、処理水管２４に連通されており、ポンプ２６を駆動することによって内部に吸引力を発生し、回転軸２２Ａ〜２２Ｃ内の流体を処理水管２４から排出するようになっている。なお、図１の符号２７は、処理水管２４を流れる処理水の流量を計測する流量計である。また、符号２８は処理槽１４から濃縮水を排水する排水管であり、符号３０は回転平膜モジュール１０の制御系が収納された制御盤である。
【００１８】
図３及び図４に示すように、回転平膜ディスク１２は、ディスクと呼ばれる円形の支持板３２と、この支持板３２の両面に設けられた通水性のスペーサ３４と、さらにその両外面に設けられた円形のろ過膜３６によって構成される。スペーサ３４は、不織布やパンチングメタル等を組み合わせて形成されており、通水性を有している。ろ過膜３６は限外ろ過膜（ＵＦ膜）が使用され、その材質としては例えば、ポリスチレン系、ポリプロピレン系、ポリエチレン系、ポリオレフィン系等の高分子樹脂膜が使用される。なお、ろ過膜３６の種類は、限外濾過（ＵＦ）膜に限定されるものではなく、精密濾過（ＭＦ）膜、ナノ濾過（ＮＦ）膜、逆浸透（ＲＯ）等を用いてもよい。
【００１９】
支持板３２は、硬質の塩化ビニル樹脂から成り、円板状に形成され、その外縁部分３２Ａは全周にわたって幅広に形成されている。スペーサ３４及びろ過膜３６は、この外縁部分３２Ａよりも内側の部分に取り付けられる。外縁部分３２Ａの幅ｗ１は、スペーサ３４及びろ過膜３６を設けた部分の厚みｔ１よりも大きく形成されており、外縁部分３２Ａはろ過膜３６、３６の膜面よりも突出して形成されている。
【００２０】
なお、スペーサ３４、及びろ過膜３６は接着によって支持板３２に固定される。接着剤は、スペーサ３４やろ過膜３６の外縁に全周にわたって塗布されており、この接着剤によって、スペーサ３４やろ過膜３６の外縁部から液体が漏れることが防止される。
【００２１】
回転平膜ディスク１２は、図４の液封リング３８を介して回転軸２２Ａ〜２２Ｃの所定の位置に取り付けられている。回転軸２２Ａ〜２２Ｃには、図３に示す如く、回転平膜ディスク１２のスペーサ３４の取付位置に孔２３Ａ〜２３Ｃが形成されており、スペーサ３４内を通過した液体が孔２３Ａ〜２３Ｃを介して回転軸２２Ａ〜２２Ｃ内に流入するように構成されている。なお、液封リング３８は、外部への漏れを防止している。
【００２２】
上記の如く構成された回転平膜ディスク１２は、図２或いは図３に示すように、回転軸２２Ａに取り付けられた回転平膜ディスク１２、１２…と、回転軸２２Ｂに取り付けられた回転平膜ディスク１２、１２…が軸方向において交互に配置されるとともに、軸方向にみて両方の回転平膜ディスク１２、１２同士が部分的に重なるように配置される。同様に、回転軸１２Ｂに取り付けられた回転平膜ディスク１２、１２…と、回転軸１２Ｃに取り付けられた回転平膜ディスク１２、１２…が軸方向において交互に配置されるとともに、軸方向にみて両方の回転平膜ディスク１２、１２同士が部分的に重なるように配置される。
【００２３】
次に上記の如く構成された回転平膜モジュール１０の作用について説明する。
【００２４】
まず、図１のモータ２０Ａ〜２０Ｃを駆動して各回転平膜ディスク１２を回転させながら、ポンプ２６を駆動して各回転平膜ディスク１２の内部に吸引力を発生させる。これにより、原水が回転平膜ディスク１２のろ過膜３６を介して回転平膜ディスク１２の内部に吸引され、その際に原水がろ過される。ろ過された後の処理水は、回転平膜ディスク１２のスペーサ３４内を通って回転軸２２Ａ〜２２Ｃの内部に吸引され、処理水管２４を介して後段の設備に送水される。このようなろ過処理において、ろ過膜３６の膜面には、回転平膜ディスク１２の回転によって膜面流速が付与される。よって、ろ過膜３６が閉塞しにくくなり、長時間にわたってろ過処理を連続して行うことができる。
【００２５】
ところで、本実施の形態では、回転軸２２Ａに取り付けられた回転平膜ディスク１２と、回転軸２２Ｂに取り付けられた回転平膜ディスク１２が軸方向にみて重なるように配置され、さらに回転軸２２Ａ、２２Ｂが同一方向に回転するので、重なり部分では、回転平膜ディスク１２、１２同士が反対方向に移動し、両者の間に乱流が発生する。同様に回転軸２２Ｂに取り付けられた回転平膜ディスク１２と、回転軸２２Ｃに取り付けられた回転平膜ディスク１２が軸方向にみて重なるように配置され、さらに回転軸２２Ｂ、２２Ｃが同一方向に回転するので、重なり部分では回転平膜ディスク１２、１２同士が反対方向に移動し、両者の間に乱流が発生する。したがって、原水がろ過膜３６と共回りすることを防止できるので、ろ過膜３６の膜面に十分な膜面流速を付与することができ、ろ過膜３６の閉塞を抑制することができる。
【００２６】
このような乱流による閉塞防止効果を十分に得るためには、回転平膜ディスク１２、１２同士を近接して配置することが好ましい。しかし、回転平膜ディスク１２、１２同士を近接して配置すると、回転平膜ディスク１２の支持板３２が変形した際に、回転平膜ディスク１２、１２同士が接触するおそれがある。このため、従来装置では、回転平膜ディスク１２、１２同士の間隔を大きくする必要があり、乱流による十分な閉塞防止効果が得られなかった。
【００２７】
そこで、本実施の形態では、回転平膜ディスク１２の支持板３２の外縁部分３２Ａを幅広に形成し、ろ過膜３６よりも外側に突出させるようにしたので、支持板３２が変形しても、支持板３２、３２の外縁部分３２Ａ、３２Ａ同士が接触するので、ろ過膜３６は接触せず保護される。よって、ろ過膜３６が損傷して破れることを防止することができる。
【００２８】
このように本実施の形態は、支持板３２、３２の外縁部分３２Ａ、３２Ａをろ過膜３６の膜面よりも突出させることによってろ過膜３６の損傷を防止したので、回転平膜ディスク１２、１２同士の間隔を狭めることができる。よって、乱流による閉塞防止効果を十分に得ることができるとともに、装置を小型化することができる。また、支持板３２の外縁部分３２Ａを全周にわたって突出させてフランジ状に形成したことによって、支持板３２の強度を上昇させることができ、支持板３２の変形を抑制することができる。
【００２９】
次に本発明に係る回転平膜モジュールの第２の実施形態について説明する。図５は、第２の実施形態の回転平膜モジュールの内部構成の一部を示す平面断面図であり、図６は回転平膜ディスクを示す斜視図である。なお、第２の実施形態は、第１の実施形態と比較して、回転平膜ディスク１２の構成が異なっており、それ以外は第１の実施形態と同様に構成される。
【００３０】
図５及び図６に示すように、第２の実施形態の回転平膜ディスク５０は、支持板５２がフラットな円板状（すなわち、外縁部分が突出してない円板状）に形成され、その支持板５２の外縁に保護リングＸが装着されている。
【００３１】
保護リングＸは、図７に示す長尺状部材５４を回転平膜ディスク５０の外縁部分に装着してリング状に形成することによって構成される。図７の長尺状部材５４は、柔軟性の良い材質、例えばポリエチレン樹脂から成り、その幅ｗ２は回転平膜ディスク５０の厚みｔ２よりも大きく形成されている。また、長尺状部材５４には、長手方向に沿って二本の凸条部５６、５６が突出形成されており、この二本の凸条部５６、５６の間に凹状の溝５８が形成されている。溝５８の幅ｗ３は回転平膜ディスク５０の厚みｔ１と略同じ寸法で形成されており、溝５８の間に回転平膜ディスク５０の外縁部分を嵌入できるようになっている。また、長尺状部材５４は、長手方向の長さＬが回転平膜ディスク５０の外周長さに一致するようにして形成されている。したがって、図８に示すように、長尺状部材５４の溝５８に回転平膜ディスク５０の外縁部分を嵌入しながら、長尺状部材５４を回転平膜ディスク５０の外周に沿って巻いていくと、回転平膜ディスク５０の外縁部分を長尺状部材５４が一周した際に長尺状部材５４の端面６０、６０同士が当接する。これにより、回転平膜ディスク５０の外縁部分に保護リングＸが装着される。なお、長尺状部材５４は、溝５８の内部に接着剤を塗布して回転平膜ディスク５０に接着するとともに、長尺状部材５４の端面６０、６０同士を接着して固定するとよい。これにより、回転平膜ディスク５０の外縁部分からの液体の漏洩を接着剤によって防止できる。また、長尺状部材５４の装着は、嵌合や係合等の機械的な結合であってもよい。例えば、長尺状部材５４の一方の端部に係合溝を形成し、この係合溝に係合する係合部を長尺状部材５４の他方の端部に設けてもよい。その場合、係合部を係合溝に係合させた状態でロックできる機構を設けておくとよい。
【００３２】
図７に示すように長尺状部材５４の凸条部５６、５６には、Ｖ状の切欠き６２、６２…が長手方向に一定の間隔で形成されている。したがって、長尺状部材５４を凸条部５６側（すなわち溝５８側）に柔軟に湾曲させることができる。これにより、長尺状部材５４を回転平膜ディスク５０の外縁部分に容易に巻回して装着することができる。
【００３３】
また、長尺状部材５４には、その外周面と内周面とを貫通する貫通孔６４、６４…が形成されている。貫通孔６４は、長手方向において一定の間隔で形成されるとともに、長尺状部材５４の内周面には溝５８以外の部分に連通されている。したがって、長尺状部材５４を回転平膜ディスク５０に装着した際に、回転平膜ディスク５０の外周面側と内周面側が貫通孔６４を介して連通される。なお、貫通孔６４は、必要に応じて形成すればよく、貫通孔６４のない実施態様も可能である。
【００３４】
上記の如く構成された第２の実施形態によれば、回転平膜ディスク５０の外縁部分に、その回転平膜ディスク５０よりも厚み方向に広い保護リングＸが取り付けられている。したがって、回転平膜ディスク５０の支持板５２が変形しても、保護リングＸ同士が接触するので、ろ過膜３６は保護リングＸによって保護される。よって、ろ過膜３６が損傷して破れることを防止することができる。
【００３５】
このように本実施の形態は、回転平膜ディスク５０に保護リングＸを装着し、ろ過膜３６の損傷を防止したので、回転平膜ディスク５０、５０同士の間隔を狭めることができる。よって、乱流による閉塞防止効果を十分に得ることができるとともに、装置を小型化することができる。また、回転平膜ディスク５０の支持板５２は、リングの付いた型で打ち出せば大量生産できて原価低減ができるので、生産コストを削減することができる。すなわち、従来装置では、支持板５２の変形を防止するために、大量生産が困難であるＦＲＰ（繊維強化プラスチック）等を使用しなければならなかったが、本実施の形態では変形した場合にもろ過膜３６の損傷を防止できるので、硬質の塩化ビニル樹脂等を使用することができ、大量生産によってコストを削減することができる。
【００３６】
また、本実施の形態では、保護リングＸとして、滑りのよいポリエチレン樹脂を用いたので、保護リングＸ同士が接触して摺動した場合にも回転平膜ディスク５０の回転に大きな妨げとなることがない。なお、支持板５２の材質は、ポリエチレン樹脂や耐水性ゴム等も用いてもよい。
【００３７】
さらに、本実施の形態では、保護リングＸに貫通孔６４が形成されているので、回転平膜ディスク５０の外側から内側に原水が導入されやすくなる。よって、回転平膜ディスク５０のろ過膜３６を透過する液量が増加し、ろ過効率を向上させることができる。
【００３８】
なお、上述した実施形態において、保護リングＸに衝撃検出センサを取り付け、保護リングＸ同士の接触を検出するようにしてもよい。
【００３９】
図９は別形状の保護リングＸを示している。同図に示す保護リングＸは、外周面側と内周面側とを貫通する貫通孔７０が矩形状に形成されるとともに、この貫通孔７０の位置に掻寄部７２が外側に突出形成されている。この貫通孔７０と掻寄部７２は、保護リングＸを「コ」字状に切出し加工することによって同時に形成される。また、掻寄部７２は、回転平膜ディスク５０の回転方向に対して上流側が外側に開くようにして形成される。なお、掻寄部７０は、回転方向の先端を鋭角に形成することが好ましく、これによって回転時の抵抗を減少させることができる。
【００４０】
このような保護リングＸを装着した回転平膜ディスク５０を回転させると、掻寄部７２によって原水が貫通孔７０に掻き寄せられ、保護リングＸの内周面側に誘導される。したがって、回転平膜ディスク５０のろ過膜３６を透過する液量を増加させることができ、ろ過効率を大幅に向上させることができる。
【００４１】
なお、保護リングＸの形状は、上述した実施形態に限定されるものではなく、回転平膜ディスク５０の外縁部分に沿って装着されてリング状を形成するものであればよい。例えば、図１０（Ａ）に示すように、断面が略円形に形成されるとともに、長手方向に溝８２が形成された長尺状部材８０を用いて保護リングＸを形成してもよい。また、図１０（Ｂ）に示すように、断面が略三角形に形成され、長手方向に溝８６が形成された長尺状部材８４を用いて保護リングＸを形成するようにしてもよい。これらの長尺状部材８０、８４を用いて保護リングＸを形成すると、保護リングＸ同士が接触した際に、接触面積が小さくなり、接触抵抗が小さくすることができる。
【００４２】
また、上述した第２の実施形態は、長尺状部材５４を巻回して保護リングＸを形成したが、保護リングＸの形成方法はこれに限定するものではなく、例えば、金型を用いて塩化ビニル等の樹脂をリング状に成形加工し、これを支持板５２の縁に装着するようにしてもよい。或いは、半リング状に成形したもの同士を支持板５２の縁で組み合わせるようにしてもよい。これにより、既製の回転平膜ディスクに保護リングＸを取り付けることができ、コストを削減することができる。
【図面の簡単な説明】
【００４３】
【図１】本発明に係る回転平膜モジュールを示す斜視図
【図２】回転平膜モジュールの内部構成の一部を示す斜視図
【図３】回転平膜モジュールの内部構成の一部を示す平面断面図
【図４】回転平膜ディスクの構成を示す斜視図
【図５】第２の実施形態の回転平膜モジュールの内部構成の一部を示す平面断面図
【図６】第２の実施形態の回転平膜ディスクの構成を示す斜視図
【図７】保護リングを構成する長尺状部材を示す斜視図
【図８】長尺状部材の取付状況を示す斜視図
【図９】別形状の保護リングの一部を示す斜視図
【図１０】別形状の長尺状部材を示す斜視図
【符号の説明】
【００４４】
１０…回転平膜モジュール、１２…回転平膜ディスク、２２Ａ〜２２Ｃ…回転軸、３２…支持板、３４…スペーサ、３６…ろ過膜、５０…回転平膜ディスク、５２…支持板、５４…長尺状部材、５６…凸条部、５８…溝、６２…切欠き、６４…貫通孔、７０…貫通孔、７２…掻寄部、Ｘ…保護リング
【図１】
2006192335.tif 000003
【図２】
2006192335.tif 000004
【図３】
2006192335.tif 000005
【図４】
2006192335.tif 000006
【図５】
2006192335.tif 000007
【図６】
2006192335.tif 000008
【図７】
2006192335.tif 000009
【図８】
2006192335.tif 000010
【図９】
2006192335.tif 000011
【図１０】
2006192335.tif 000012